(57)【特許請求の範囲】
【請求項１】
複数の容器を保持するパッケージであって、
前記パッケージの内側の周りに少なくとも部分的に延在するパネルであって、トップパネルと、前記トップパネルに折り曲げ可能に接続されている少なくとも１つのサイドパネルとを含む、パネルと、
前記複数の容器のうちの少なくとも１つの容器のトップ部分を受け入れて保持する、前記トップパネルの複数の構成と、
を備え、
前記複数の構成の各々は、前記トップパネルの開口部を含み、前記複数の容器のそれぞれの容器と係合して前記それぞれの容器を前記パッケージに少なくとも部分的に取り付けるように、前記トップパネルは、少なくとも部分的にそれぞれの開口部を形成する少なくとも２つの縁部を有し、前記少なくとも２つの縁部は、それぞれの容器のフランジの下面と接触しており、前記トップパネルは、それぞれ隣接する開口部間に延びているタブを有し、前記タブは、前記少なくとも２つの縁部の各々の隣接するそれぞれの端の間で前記開口部へ延びる突出部分を有する、パッケージ。
【請求項２】
前記少なくとも２つの縁部は、曲線状である、請求項１に記載のパッケージ。
【請求項３】
前記トップパネルは前記開口部に隣接する弧状の保持縁部を有する、請求項１に記載のパッケージ。
【請求項４】
前記タブは各々、それぞれの曲線状の折り線において、前記トップパネルに折り曲げ可能に接続されている、請求項１に記載のパッケージ。
【請求項５】
前記タブは前記少なくとも１つの容器の前記フランジの上面と接触している、請求項１に記載のパッケージ。
【請求項６】
複数の容器を保持するパッケージを形成するブランクであって、
トップパネルと、前記トップパネルに折り曲げ可能に接続されている少なくとも１つのサイドパネルとを含むパネルであって、前記ブランクから形成される前記パッケージの内側を形成するためのものである、パネルと、
前記複数の容器のうちの少なくとも１つの容器のトップ部分を前記ブランクから形成される前記パッケージに受け入れて保持するためのものである、前記トップパネルの複数の構成と、
を備え、
前記複数の構成の各々は、前記トップパネルの開口部を含み、前記複数の容器のそれぞれの容器と係合して前記それぞれの容器を前記パッケージに少なくとも部分的に取り付けるように、前記トップパネルは、少なくとも部分的にそれぞれの開口部を形成する少なくとも２つの縁部を有し、前記少なくとも２つの縁部は、前記ブランクから形成される前記パッケージにおいてそれぞれの容器のフランジの下面と接触するためのものであり、前記トップパネルは、それぞれ隣接する開口部間に延びているタブを有し、前記タブは、前記少なくとも２つの縁部の各々の隣接するそれぞれの端の間で前記開口部へ延びる突出部分を有する、ブランク。
【請求項７】
前記タブは各々、それぞれの曲線状の折り線において、前記トップパネルに折り曲げ可能に接続されている、請求項６に記載のブランク。
【請求項８】
前記開口部は曲線状の縁部を有し、それぞれの突出部分は各々、前記曲線状の縁部間で前記開口部へ延びる、請求項６に記載のブランク。
【請求項９】
複数の容器を収容するパッケージを形成する方法であって、
トップパネルと、前記トップパネルに折り曲げ可能に接続されている少なくとも１つのサイドパネルと、前記トップパネルの開口部をそれぞれ含む前記トップパネルの複数の構成と、を有するブランクであって、前記トップパネルは、少なくとも部分的にそれぞれの開口部を形成する少なくとも２つの縁部を有し、前記トップパネルは、それぞれの隣接する開口部間に延びているタブを有し、前記タブは、前記少なくとも２つの縁部の各々の隣接するそれぞれの端の間で前記開口部へ延びる突出部分を有する、ブランクを取得すること、及び
前記それぞれの容器を前記パッケージに少なくとも部分的に取り付けるように、容器の少なくともトップ部分を前記開口部に挿入すること及び前記容器の前記トップ部分を前記少なくとも２つの縁部と係合させること、を含み、
前記それぞれの容器の前記トップ部分を係合させることは、前記少なくとも２つの縁部をそれぞれの容器のフランジの下面と接触させることを含む、方法。
【請求項１０】
前記少なくとも２つの縁部は、曲線状の縁部であり、
前記容器の少なくともトップ部分を挿入することは、それぞれの開口部内に保持されたそれぞれの容器の前記フランジの上面に前記突出部分を接触させることを含む、請求項９に記載の方法。
【発明の詳細な説明】
【技術分野】
【０００１】
［関連出願の相互参照］
本願は、２００９年２月２４日付けで出願された米国仮特許出願第６１／２０８，４６２号の利益を主張する。
【０００２】
［参照による援用］
２００９年２月２４日付けで出願された米国仮特許出願第６１／２０８，４６２号の全内容は、あらゆる目的で参照により本明細書に援用される。
【０００３】
本開示は、包括的には、容器を保持して運搬するためのパッケージ又はカートンに関する。
【発明の概要】
【０００４】
概して、本開示の一態様は包括的に、複数の容器を保持するパッケージを対象とする。該パッケージはトップパネル及びサイドパネルを有する。パッケージは、容器を保持する保持構成を有する。
【０００５】
別の態様では、本開示は包括的に、複数の容器を保持するパッケージを対象とする。該パッケージは、該パッケージの内側の周りに少なくとも部分的に延在するパネルを含む。該パネルは、トップパネル及び該トップパネルに折り曲げ可能に接続されている少なくとも１つのサイドパネルを含む。複数の容器のうちの少なくとも１つの容器のトップ部分を受け入れて保持する少なくとも１つの構成が、トップパネルにある。該少なくとも１つの構成は、複数の容器のうちの少なくとも１つの容器と係合して該少なくとも１つの容器をパッケージに少なくとも部分的に取り付けるように、トップパネルの開口部及び該開口部に隣接する保持構成を含む。
【０００６】
別の態様では、本開示は包括的に、複数の容器を保持するパッケージを形成するブランクを対象とする。該ブランクは、トップパネル及び該トップパネルに折り曲げ可能に接続されている少なくとも１つのサイドパネルを含むパネルを含む。該パネルは、ブランクから形成されるパッケージの内側を形成するためのものである。複数の容器のうちの少なくとも１つの容器のトップ部分をブランクから形成されるパッケージに受け入れて保持する少なくとも１つの構成が、トップパネルにある。少なくとも１つの構成は、複数の容器のうちの少なくとも１つの容器と係合して該少なくとも１つの容器をパッケージに少なくとも部分的に取り付けるように、トップパネルの開口部及び該開口部に隣接する保持構成を含む。
【０００７】
別の態様では、本開示は、複数の容器を収容するパッケージを形成する方法を対象とする。該方法は、トップパネルと、該トップパネルに折り曲げ可能に接続されている少なくとも１つのサイドパネルと、トップパネルの開口部及び該開口部に隣接している保持構成を含む、該トップパネルの少なくとも１つの構成とを有するブランクを準備することを含む。該方法は、容器をパッケージに少なくとも部分的に取り付けるように、容器の少なくともトップ部分を開口部に挿入すると共に容器のトップ部分を保持構成と係合させることを含む。
【０００８】
当業者は、以下に記載された図面を参照して実施形態の以下の詳細な説明を読めば、上述の利点及び他の利点、並びに多様な追加の実施形態の利益を理解するであろう。
【０００９】
一般的慣行に従い、以下で説明する図面の多様な特徴は、必ずしも一定の縮尺で描かれていない。図面における多様な構成及び要素の寸法は、本開示の実施形態をより明確に示すために拡大又は縮小されている場合がある。
【図面の簡単な説明】
【００１０】
【図１】本開示の第１の実施形態のブランク、パッケージ及び／又は容器を示す図である。
【図２】本開示の第１の実施形態のブランク、パッケージ及び／又は容器を示す図である。
【図３】本開示の第１の実施形態のブランク、パッケージ及び／又は容器を示す図である。
【図４】本開示の第１の実施形態のブランク、パッケージ及び／又は容器を示す図である。
【図５】本開示の第２の実施形態のブランク、及び／又は複数の容器を保持するパッケージを示す図である。
【図６】本開示の第２の実施形態のブランク、及び／又は複数の容器を保持するパッケージを示す図である。
【図７】本開示の第２の実施形態のブランク、及び／又は複数の容器を保持するパッケージを示す図である。
【図８】本開示の第３の実施形態のブランク、及び／又は複数の容器を保持するパッケージを示す図である。
【図９】本開示の第３の実施形態のブランク、及び／又は複数の容器を保持するパッケージを示す図である。
【図１０】本開示の第３の実施形態のブランク、及び／又は複数の容器を保持するパッケージを示す図である。
【図１１】本開示の第４の実施形態のブランク、及び／又は複数の容器を保持するパッケージを示す図である。
【図１２】本開示の第４の実施形態のブランク、及び／又は複数の容器を保持するパッケージを示す図である。
【図１３】本開示の第４の実施形態のブランク、及び／又は複数の容器を保持するパッケージを示す図である。
【図１４】本開示の第５の実施形態のブランク、及び／又は複数の容器を保持するパッケージを示す図である。
【図１５】本開示の第５の実施形態のブランク、及び／又は複数の容器を保持するパッケージを示す図である。
【図１６】本開示の第５の実施形態のブランク、及び／又は複数の容器を保持するパッケージを示す図である。
【図１７】本開示の第６の実施形態のブランク、及び／又は複数の容器を保持するパッケージを示す図である。
【図１８】本開示の第６の実施形態のブランク、及び／又は複数の容器を保持するパッケージを示す図である。
【図１９】本開示の第６の実施形態のブランク、及び／又は複数の容器を保持するパッケージを示す図である。
【発明を実施するための形態】
【００１１】
対応する部分は、図面を通して対応する参照符号によって示されている。
【００１２】
本開示は、包括的には、ジャー、ボトル、缶等のような容器を保持及び陳列するための構造物、スリーブ、カートン等、及びパッケージに関する。容器は、例えば、食品及び飲料製品を包装するために用いることができる。容器は、特定の食料品又は飲料品を包装するのに適した組成の材料から作ることができ、該材料として、アルミニウム及び／又は他の金属、ＰＥＴ、ＬＤＰＥ、ＬＬＤＰＥ、ＨＤＰＥ、ＰＰ、ＰＳ、ＰＶＣ、ＥＶＯＨ、及びナイロン等のようなプラスチック、ガラス、又はそれらの任意の組み合わせが挙げられるが、これらに限定されない。
【００１３】
本開示によるパッケージは、多数の異なる形状の容器を収納することができる。本開示の範囲を限定することを目的とせず、説明することを目的として、以下の詳細な説明では、パッケージの実施形態内に少なくとも部分的に配置される飲料容器（例えば、アルミニウム缶のような一般的に円筒形の容器）について記載する。本明細書において、「下側」、「ボトム」、「上側」、及び「トップ」という用語は、完全に組み立てられたパッケージに関して定められる向きを示す。
【００１４】
本実施形態は、容器に取り付けて容器を収納するためのカートン又はパッケージに向けたものである。第１の実施形態のパッケージ又はキャリア５が、図３に組み立てられた状態で示されており、図中では３本の容器を２列で配置した容器Ｃに取り付けられている。図示の実施形態では、容器Ｃは、下側ベース部分Ｂと、下側ベース部分から内方へテーパー状になっているネックＮを一般的に有するトップ部分Ｔと、ネック部分から半径方向外方へ延在する、ネック部分の上部にあるフランジ部分Ｆと、フランジ部分の下の、プルタブＰを含む上面ＴＳとを有する飲料容器として示されている。本開示から逸脱することなく、他のサイズ、形状及び構成の容器をパッケージ５内で保持することができる。容器ＣのネックＮ及びフランジＦは、パッケージ５のそれぞれの開口部７に受け入れられ、本明細書でさらに説明する保持構成によってパッケージ内で保持される。容器Ｃは、本開示から逸脱することなく、２×３配置以外（例えば、２×４、２×６、１×３、１×４等）で配置することもでき、パッケージ５は６本よりも多いか又は少ない容器を含むことができる。
【００１５】
図１は、パッケージ又はキャリア５を形成するのに用いられるブランク１３の外側面１１の平面図である。ブランク１３は長手方向軸Ｌ１及び横軸Ｌ２を有する。ブランク１３は、第１の横方向引き裂き線２１で第１の端部パネル１９に折り曲げ可能に接続されているトップパネル１７を含む。トップパネル１７は、第２の横方向引き裂き線２５で第２の端部パネル２３に折り曲げ可能に接続されている。第１のサイドパネル２７が、第１の長手方向折り線２９でトップパネル１７に折り曲げ可能に接続されている。第２のサイドパネル３１が、第２の長手方向折り線３３でトップパネル１７に折り曲げ可能に接続されている。
【００１６】
図１の実施形態において、ブランク１３は、一連の曲線状の切れ目線３９によって形成されている６つの受け部３７を含む。受け部３７は各々、最外部の２つの切れ目線３９間に位置する４つのストリップ４３によってトップパネル１７に接続されている概ね円形の内側パネル４１を含む。内側パネル４１は曲線状の折り線４０を含み、この折り線４０は、切れ目線３９から内方へ離間していると共に内側パネルが容器Ｃの形状に適合するように内側パネルを成形するのを助ける。内側パネル４１がトップパネル１７に対して盛り上がると、内側パネル４１が切れ目線３９においてトップパネルから分離することによってトップパネルに開口部７が形成される。図１の実施形態では、トップパネル１７は、パッケージ５を把持して運搬するための指穴４７を含む。また、トップパネル１７は、受け部３７の各対間に曲線状の折り線４９を含む。
【００１７】
切れ目線３９は協働してトップパネル１７の開口部７の保持縁部４２（広義では「保持構成」）を形成し、この保持縁部４２が容器ＣのフランジＦと係合する。図示の実施形態では、各受け部３７は、容器をカートン内に保持するように該容器ＣのフランジＦの一部とそれぞれ係合する、４つの概ね弧状の保持縁部を含む。保持縁部４２は、内側パネル４１をトップパネル１７に取り付けている切れ目３９のそれぞれの端間のそれぞれのストリップ４３によって分離されている。
【００１８】
図示の実施形態では、ブランク１３は、長手方向折り線５７、５９においてそれぞれの端部パネル１９、２３に折り曲げ可能に接続されている端部フラップ５３、５５を含む。ガセットパネル６１、６３が、それぞれの斜めの折り線６５、６７において端部フラップ５３、５５にそれぞれ接続されている。各ガセットパネル６１、６３は、それぞれの横方向折り線６９、７１においてサイドパネル２７、３１にそれぞれ折り曲げ可能に接続されている。
【００１９】
１つの許容可能な方法に従ってパッケージ５０を形成するには、容器Ｃをそれぞれの受け部３７に挿入することによって該容器のフランジＦの上面を受け部の内側パネル４１と接触させ、内側パネルを盛り上がらせてトップパネル１７に開口部７を形成する。容器ＣのフランジＦは、図３及び図４に示されるように、それぞれの受け部３７の開口部に隣接する部分（例えば縁部４２）がフランジの下面と係合して容器をパッケージ５内に保持するように位置決めされる。端部パネル１９、２３はトップパネル１７に対して下方へ折り曲げられ、引き裂き線２１、２５に沿って分離されるため、端部パネルの上縁部がトップパネルから分離される。端部フラップ５３、５５は折り線５７、５９において内方へ折り曲げられ、サイドパネルが折り線２９、３３において下方へ折り曲げられてパッケージ５を形成する。
【００２０】
糊又は他の接着剤をブランク１３のパネル及び／又はフラップの１つ又は複数に塗布して、パッケージ５を折り曲げた状態に固定することができる。また、パッケージ５は、２００８年１０月１７日付けで出願された米国特許出願第１２／２５３，４８５号（該出願の全内容はあらゆる目的で参照により本明細書に援用される）に示されているようにハンドル又は強化構成を含むことができる。さらに、パッケージ５は、容器Ｃのパッケージからの取り外しを容易にする分配構成を含むことができる。本開示から逸脱することなく、ブランク１３は別様に成形及び／又は構成することができ、パッケージ５は、別様に成形及び／又は構成される構成を有することができる。
【００２１】
図５〜図７はそれぞれ、第１の実施形態のブランク１３及びパッケージ５と同様の特徴を有する、本開示の第２の実施形態のブランク１１３及びパッケージ１０５を示す。したがって、これらの実施形態の同様であるか又は同一である特徴には同様の参照符号が与えられている。
【００２２】
図５〜図７の実施形態では、受け部１３７の各々の中心パネル１４１が、該中心パネル１４１の長手方向端においてそれぞれのタブ１４３によってトップパネル１１７に取り付けられたままである。タブ１４３は各々、受け部１３７の中心パネル１４１を形成する切れ目１３９の離間した端、及びタブをトップパネル１１７に取り付ける曲線状の折り線１４０によって画定されている。受け部１３７は、中心パネル１４１を形成する切れ目１３９から延びる斜めの切れ目１４２を含む。斜めの切れ目１４２は、開口部１０７に隣接する、トップパネル１１７の折り曲げ可能なフラップ１４４を形成する。折り曲げ可能なフラップ１４４の縁部は、切れ目１３９によって画定されており、容器ＣのフランジＦの下面と係合するためのものである。本開示から逸脱することなく、ブランク１１３は別様に成形及び／又は構成することができ、パッケージ１０５は、別様に成形及び／又は構成される構成を有することができる。
【００２３】
図８〜図１０は、前述の実施形態のブランク及びパッケージと同様の特徴を有する、本開示の第３の実施形態のパッケージ２０５を形成するブランク２１３を示す。したがって、これらの実施形態の同様であるか又は同一である特徴には同様の参照符号が与えられている。
【００２４】
ブランク２３１は、前述の実施形態の受け部１３７と同様の受け部２３７を有するトップパネル２１７を含む。図８〜図１０の実施形態では、中心パネル２４１は中心パネル１４１と同様に成形される。折り曲げ可能なフラップ２４４は斜めの切れ目２４２によって形成されている。図８〜図１０の実施形態では、折り曲げ可能なフラップ２４４は、斜めの切れ目２４２と中心パネル２４１を画定している切れ目１３９との間に延びる斜めの折り線２４６によって少なくとも部分的に画定されている。図８〜図１０の実施形態では、タブ２４３は概ね直線的な折り線２４０によって形成されている。一実施形態では、トップパネル２１７は、該トップパネルの長さを横切って延びる長手方向折り線２２８を含む。折り線２２８は、パッケージ２０５の形成を容易にし、トップパネル２１７が容器Ｃの形状に適合することを可能にする。本開示から逸脱することなく、ブランク２１３は別様に成形及び／又は構成することができ、パッケージ２０５は、別様に成形及び／又は構成される構成を有することができる。
【００２５】
図１１〜図１３は、前述の実施形態のブランク及びパッケージと同様の特徴を有する、本開示の第４の実施形態のパッケージ３０５を形成するブランク３１３を示す。したがって、これらの実施形態の同様であるか又は同一である特徴には同様の参照符号が与えられている
【００２６】
ブランク３１３は、トップパネル３１７に開口部３４１を有する受け部３３７を含む。受け部３３７は、開口部３４１のそれぞれの長手方向側部に隣接するタブ３４３を含む。タブ３４３はトップパネルにある曲線状の折り線３４０によって画定されている。開口部３４１は、概ね長手方向Ｌ１に延びるブランク３１３の対応する形状の曲線状の切れ目線によって形成されている曲線状の縁部３３９を有する。図１２及び図１３に示されるように、曲線状の縁部３３９は、それぞれの容器のフランジＦの下面と係合して容器をパッケージ３０５内に保持する。タブ３４３は、概ね半円形をしていると共に曲線状の縁部３３９間に位置している突出部分３４８を含む。図示の実施形態では、タブ３４３の突出部分３４８は、容器ＣのフランジＦの上面と接触しており、パッケージ３０５のトップパネル３１７から離間している。本開示から逸脱することなく、ブランク３１３は別様に成形及び／又は構成することができ、パッケージ３０５は、別様に成形及び／又は構成される構成を有することができる。
【００２７】
図１４〜図１６は、前述の実施形態のブランク及びパッケージと同様の特徴を有する本開示の第５の実施形態のパッケージ４０５を形成するブランク４１３を示す。したがって、これらの実施形態の同様であるか又は同一である特徴には同様の参照符号が与えられている。
【００２８】
ブランク４１３は、トップパネル４１７に開口部４４１を有する受け部４３７を含む。開口部４４１は概ね星形であり、それぞれの縁部４３９によって形成されている。開口部４４１の縁部４３９は、開口部４４１に隣接するそれぞれの折り曲げ可能なフラップ４４４を形成する曲線状部分を有する。折り曲げ可能なフラップ４４４は、それぞれの開口部４４１に突出しており、容器ＣのそれぞれのフランジＦの下面と係合する。開口部４４１間のタブ４４３は長手方向折り線４４０によって画定されている。図示の実施形態では、各受け部４３７は８つの折り曲げ可能なフラップ４４４を含む。本開示から逸脱することなく、ブランク４１３は別様に成形及び／又は構成することができ、パッケージ４０５は、別様に成形及び／又は構成される構成を有することができる。
【００２９】
図１７〜図１９は、前述の実施形態のブランク及びパッケージと同様の特徴を有する、本開示の第６の実施形態のパッケージ５０５を形成するブランク５１３を示す。したがって、これらの実施形態の同様であるか又は同一である特徴には同様の参照符号が与えられている。
【００３０】
ブランク５１３は、前述の実施形態の受け部４３７と同様の受け部５３７を含む。開口部５４１は、前述の実施形態の縁部４３９と形状が同様である縁部５３９を有する。折り曲げ可能なフラップ５４４が開口部５４１に隣接する縁部５３９の部分によって形成されている。折り曲げ可能なフラップ５４４は、それぞれの開口部５４１に突出しており、容器ＣのそれぞれのフランジＦの下面と係合する。図１７〜図１９の実施形態では、ブランク５１３は、横方向切れ目５４２によって形成された開口部５４１に隣接する保持フラップ５５６を有する。保持フラップ５５６は開口部５４１へは突出しないため、該保持フラップはフランジＦの下面の下の離間した位置で容器のネックＮと係合する。保持フラップ５５６は、パッケージ５０５を容器Ｃに固定するさらなる取り付け力を提供する。図１７〜図１９の実施形態では、パッケージは、フランジＦの下面と係合する、各開口部５４１に隣接する６つの折り曲げ可能なフラップ５４４と、それぞれの容器ＣのネックＮと係合する、各開口部に隣接する４つの保持フラップ５５６とを有する。本開示から逸脱することなく、ブランク５１３は別様に成形及び／又は構成することができ、パッケージ５０５は、別様に成形及び／又は構成される構成を有することができる。
【００３１】
本開示によるブランクは、例えば、コート板紙及び同様の材料から形成することができる。例えば、ブランクの内側表面及び／又は外側表面をクレーコートでコーティングすることができる。続いて、クレーコート上に製品、広告、価格コード、及び他の情報又は画像を印刷することができる。続いて、ブランクに印刷されている情報を保護するために、ブランクをワニスでコーティングすることができる。ブランクの片面又は両面を、例えば防湿層でコーティングすることもできる。上述の実施形態に応じて、ブランクは、通常の紙よりも重く硬質であるような厚さ（caliper）の板紙で構成することができる。ブランクは、ボール紙、硬化紙等の他の材料、又はカートンが少なくとも概ね本明細書に記載のように機能できるようにするのに適した特性を有する任意の他の材料で構成することもできる。ブランクは、選択されたパネル又はパネルセクションに１つ又は複数のシート状材料を積層又はコーティングすることもできる。
【００３２】
本開示の上述の実施形態によれば、折り線は、それに沿った折り曲げを容易にする、必ずしも直線状ではないが実質的に線状の任意の弱化形態とすることができる。本開示の範囲を狭めるためではないが、より詳細には、折り線は、所望の弱化線に沿って材料に圧潰部分を作る鈍いスコアリングナイフ等で形成される線等のスコア線、所望の弱化線に沿って材料に部分的に入れ込んだ切れ目、及び／又は所望の弱化線に沿って材料に部分的に及び／又は完全に貫通する一連の切れ目、並びにこれらの構成の多様な組み合わせを含む。
【００３３】
一例として、引き裂き線は、所望の弱化線に沿って材料に部分的に入れ込んだスリット、及び／又は所望の弱化線に沿って材料に部分的に及び／又は完全に貫通する一連の離間したスリット、又はこれらの構成の多様な組み合わせを含むことができる。より具体的な例としては、１つのタイプの引き裂き線は、引き裂き線を挟んで材料を通常は一時的に接続するためにニック（例えば、材料の小さな幾らか橋で結んでいるような部分）が間に画定されるように隣接するスリットをわずかに離間させた、材料を貫通する一連の離間したスリットの形態である。ニックは、引き裂き時に引き裂き線に沿って破断される。ニックは典型的に、引き裂き線において比較的わずかな割合を占めるものであり、代替的に、引き裂き線が連続した切れ目線であるように、ニックが引き裂き線から省かれることができるか、又は引き裂き線で引き裂かれることができる。すなわち、引き裂き線のそれぞれを連続したスリット等で置き換えることは、本開示の範囲内にある。例えば、本開示から逸脱することなく、切れ目線は、連続したスリットとすることができ、さもなければスリットよりも幅広にすることができるであろう。
【００３４】
上記実施形態は、カートンの実施形態を組み立てる間に糊によって互いに接着される１つ又は複数のパネルを有するものとして説明されている場合がある。「糊」という用語は、カートンパネルを所定位置に固定するのに一般的に用いられるすべての態様の接着剤を包含することが意図される。
【００３５】
本開示の上記説明は、多様な例示的な実施形態を例示及び説明するものである。本開示の精神及び範囲から逸脱することなく、多様な追加、変更、変形等がこれらの例示的な実施形態に対してなされることができる。上記説明に含まれるか又は添付図面に示されているすべての事項は、例示目的であって限定的な意味ではないと解釈すべきであることが意図される。さらに、本開示は、本開示の選択された実施形態のみを示し説明しているが、本開示は、多様な他の組み合わせ、変更、及び状況で用いることができ、本明細書で述べられているような発明概念の範囲内で変形又は変更を行うことができ、上記教示に相応し、及び／又は関連技術分野の技術若しくは知識内にある。さらに、各実施形態の特定の構成及び特徴を、選択的に置き換えて、本開示の他の説明された実施形態又は説明されていない実施形態に適用することができる。
【図１】
0005474099.tif 000002
【図２】
0005474099.tif 000003
【図３】
0005474099.tif 000004
【図４】
0005474099.tif 000005
【図５】
0005474099.tif 000006
【図６】
0005474099.tif 000007
【図７】
0005474099.tif 000008
【図８】
0005474099.tif 000009
【図９】
0005474099.tif 000010
【図１０】
0005474099.tif 000011
【図１１】
0005474099.tif 000012
【図１２】
0005474099.tif 000013
【図１３】
0005474099.tif 000014
【図１４】
0005474099.tif 000015
【図１５】
0005474099.tif 000016
【図１６】
0005474099.tif 000017
【図１７】
0005474099.tif 000018
【図１８】
0005474099.tif 000019
【図１９】
0005474099.tif 000020